(57)【特許請求の範囲】
【請求項１】
温度センサーを含む各種のセンサーで測定した測定データを、通信部を介して無線送信するラジオゾンデであって、
通信周波数を変更する周波数調整部と、
前記周波数調整部と外部の調整装置とを赤外線通信方式で通信するラジオゾンデ側赤外線通信部と、
を有するラジオゾンデ。
【請求項２】
前記各種のセンサー、前記通信部、前記周波数調整部、前記ラジオゾンデ側赤外線通信部を収容する収納容器を有し、
前記収納容器は、容器本体と、前記容器本体を開閉可能に覆う蓋体とを備え、前記蓋体を取り外した状態で、前記ラジオゾンデ側赤外線通信部が前記容器本体の開口部に臨むことを特徴とする請求項１に記載のラジオゾンデ。
【請求項３】
前記容器本体の開口部に面して、前記温度センサーを有する可撓弾性変形が可能なセンサーホルダーが折り畳まれて収納され、前記蓋体を取り外すと、前記センサーホルダーが復元力で跳ね上がることで、前記ラジオゾンデ側赤外線通信部が現れることを特徴とする請求項２に記載のラジオゾンデ。
【請求項４】
請求項１から３のいずれか１つに記載のラジオゾンデを調整対象とする調整装置であって、
前記ラジオゾンデ側赤外線通信部と赤外線通信を行う装置側赤外線通信部を有し、前記装置側赤外線通信部は、調整指示部からの指示に基づいて、前記ラジオゾンデ側赤外線通信部と通信を行うことを特徴とする調整装置。
【請求項５】
前記ラジオゾンデが載置され、前記ラジオゾンデ側赤外線通信部が臨む開口部が形成される載置壁部を備えた筐体を有し、
前記筐体には、前記載置壁部の前記開口部に対向して前記装置側赤外線通信部を配置し、さらに、前記載置壁部に載置する前記ラジオゾンデの前記温度センサーが挿入され、送風機により温度調整される温度調整室を有することを特徴とする請求項４に記載の調整装置。
【発明の詳細な説明】
【技術分野】
【０００１】
本発明は、気球により飛揚されて高層の気象を観測するラジオゾンデに関する。
【背景技術】
【０００２】
高層天気を観測するラジオゾンデは、上層大気の風向、風速、気圧、気温、湿度等を測定し、測定情報を送信機により地上に送信する。
【０００３】
ラジオゾンデは、収納容器と、収納容器内に収納される各種の測定センサーと、測定センサーで測定した測定データの処理を行うデータ処理部と、データ処理部で処理したデータを送信する送信部と、データ処理部,送信部等を構成する電子部品を実装する回路基板、各種の電子部品、センサーに電力を供給する電源電池、送信アンテナ等を有する。また、電源部の改良により使用する乾電池等の本数の削減等により、収納容器の小型化とラジオゾンデの軽量化が実現する（特許文献１）。
【０００４】
ラジオゾンデを飛揚する際、周囲に飛揚される他のラジオゾンデとの混信をさけるために、送信周波数を変更する。
【０００５】
近年、送信周波数の変更は、ラジオゾンデと非接触通信方式で調整装置との間で行われる。従来、非接触の通信方式として、電磁誘導方式が採用されている。電磁誘導方式では、ラジオゾンデに通信用のループアンテナを配置する必要がある。
【０００６】
ループアンテナは直径が大きいため、収納容器の大型化を招く。また、ループアンテナはラジオゾンデの軽量化を阻害する。
【０００７】
また、通信周波数の変更後、各種センサーの測定データが適正に送信できるかのテスト通信が調整装置により行われる。その際、電磁誘導による通信をラジオゾンデと調整装置との間で行うと、高周波の電磁波が、回路基板に実装される各種の回路部に対して電波障害を生じさせる。
【先行技術文献】
【特許文献】
【０００８】
【特許文献１】ＷＯ２０１４/０４５３１５号公報
【発明の概要】
【発明が解決しようとする課題】
【０００９】
本発明の目的は、ラジオゾンデに設定する周波数の変更を行うために外部の装置と通信するための通信手段を、ラジオゾンデの軽量化、調整テスト等の安定化に寄与できるものとしたラジオゾンデおよびラジオゾンデの調整装置を提供しようとするものである。
【課題を解決するための手段】
【００１０】
本発明の目的を実現するラジオゾンデの第１の構成は、温度センサーを含む各種のセンサーで測定した測定データを、通信部を介して無線送信するラジオゾンデであって、通信周波数を変更する周波数調整部と、前記周波数調整部と外部の調整装置とを赤外線通信方式で通信するラジオゾンデ側赤外線通信部と、を有する。
【００１１】
本発明の目的を実現するラジオゾンデ用の第２の構成は、上記した第１の構成において、前記各種のセンサー、前記通信部、前記周波数調整部、前記ラジオゾンデ側赤外線通信部を収容する収納容器を有し、前記収納容器は、容器本体と、前記容器本体を開閉可能に覆う蓋体とを備え、前記蓋体を取り外した状態で、前記ラジオゾンデ側赤外線通信部が前記容器本体の開口部に臨むことを特徴とする。
【００１２】
本発明の目的を実現するラジオゾンデの第３の構成は、上記した第２の構成において、前記容器本体の開口部に面して、前記温度センサーを有する可撓弾性変形が可能なセンサーホルダーが折り畳まれて収納され、前記蓋体を取り外すと、前記センサーホルダーが復元力で跳ね上がることで、前記ラジオゾンデ側赤外線通信部が現れることを特徴とする。
【００１３】
本発明の目的を実現するラジオゾンデ用の調整装置の第１の構成は、上記したいずれかに記載のラジオゾンデを調整対象とする調整装置であって、前記ラジオゾンデ側赤外線通信部と赤外線通信を行う装置側赤外線通信部を有し、前記装置側赤外線通信部は、調整指示部からの指示に基づいて、前記ラジオゾンデ側赤外線通信部と通信を行うことを特徴とする。
【００１４】
本発明の目的を実現するラジオゾンデ用の調整装置の第２の構成は、上記したラジオゾンデ用の調整装置の第１の構成において、前記ラジオゾンデが載置され、前記ラジオゾンデ側赤外線通信部が臨む開口部が形成される載置壁部を備えた筐体を有し、前記筐体には、前記載置壁部の前記開口部に対向して前記装置側赤外線通信部を配置し、さらに、前記載置壁部に載置する前記ラジオゾンデの前記温度センサーが挿入され、送風機により温度調整される温度調整室を有することを特徴とする。
【発明の効果】
【００１５】
本発明のラジオゾンデによれば、ラジオゾンデの小型軽量化を図ることができ、また通信テストの際に電波障害等を招くことなく各種センサーの測定データを受信することができる。
【００１６】
本発明のラジオゾンデ用の調整装置によれば、ラジオゾンデのラジオゾンデ側赤外線通信部と容易に赤外線通信することができる。また、ラジオゾンデを筐体の載置壁部に載置するだけで、周波数の変更調整等が行える。また、テスト通信時の温度データも高精度に受信することができる。
【図面の簡単な説明】
【００１７】
【図１】本発明の実施形態によるラジオゾンデを透視した外観斜視図で、右斜め前方から見た斜視図。
【図２】図１のラジオゾンデを透視した外観斜視図で、左斜め前方から見た視斜視図。
【図３】図１のラジオゾンデの正面図。
【図４】図３のラジオゾンデの左側面図。
【図５】図３のラジオゾンデの上面図。
【図６】調整装置の実施形態を示す正面図。
【図７】図６の調整装置の側面図。
【図８】図６の調整装置の上面図。
【発明を実施するための形態】
【００１８】
以下本発明を図面に示す実施形態に基づいて詳細に説明する。
【００１９】
図１は本発明の実施形態によるラジオゾンデを透視した外観斜視図で、右斜め前方から見た斜視図、図２は図１のラジオゾンデを透視した外観斜視図で、左斜め前方から見た視斜視図である。図３は図１のラジオゾンデの正面図、図４は図３のラジオゾンデの左側面図、図５は図３のラジオゾンデの上面図である。図６は調整装置の実施形態を示す正面図、図７は図６の調整装置の側面図、図８は図６の調整装置の上面図、図７は図６の周波数変更装置の側面図、図８は図６の上面図である。
【００２０】
図１および図２において、ラジオゾンデ１は、発泡スチロール製の収納容器３を有する。ラジオゾンデ１は、図１中、上方に配置された不図示の気球にロープ２（図４参照）を介して吊り下げられる。図１において、互いに直交する３軸をＸ，Ｙ，Ｚ軸とし、上下方向をＺ軸とする。また、Ｘ軸方向を前後方向、Ｙ軸方向を左右方向とする。
【００２１】
収納容器３は、Ｚ軸方向に沿って長い略直方体形状に形成される。収納容器３は、Ｚ軸方向の頂部をなす頂面３１と、Ｘ軸方向に沿って対向する前側面３２と後側面３３と、Ｙ軸方向に沿って対向する左右側面３４、３５と、Ｚ軸方向の底部をなす底面３６を有する。また、収納容器３は、後側面３３を有する容器本体３Ａと、前側面３２を有する蓋体３Ｂとにより構成される。容器本体３Ａと蓋体３Ｂとの接合面は、Ｚ−Ｘ平面とし、蓋体３Ｂは容器本体３Ａに対してＺ軸方向に沿って取り外すことができる。
【００２２】
本実施形態において、頂面３１は後側面３３から前側面３２に向けて下向きに傾斜する片勾配の斜面に形成される。頂面３１は全体的に凸の曲面に形成される。また、前側面３２は、頂面３１の曲面に連設して全体に凸の曲面に形成される。
【００２３】
収納容器３の前面３Ｃは上下方向において、図４に示すように、頂面３１側を急傾斜の曲面に、前側面３２側を緩傾斜の曲面に形成される。また、収納容器３の前側面３２、後側面３３、左右側面３４、３５の繋ぎ目はそれぞれ曲面に形成されている。さらに、片勾配の傾斜面の頂面３１と前側面３２とにより構成される前面３Ｃは、図５に示すように、Ｙ軸方向の中央が盛り上がり、左右側面３４、３５側を低くした曲面に形成される。
【００２４】
ラジオゾンデ１は、収納容器３からセンサーホルダー４と、無線通信用アンテナ６を外部に支出している。
【００２５】
センサーホルダー４は、ラジオゾンデ１の使用の際に、収納容器３の前面３Ｃ側に配置される。センサーホルダー４は、可撓弾性を有し、非導電性の薄板材により帯状に形成される。センサーホルダー４は、収納容器３内から支出されていて、容器本体３Ａの開口部分に折り畳まれて収容される。蓋体３Ｂを容器本体３Ａから取り外すと、折り畳まれたセンサーホルダー４が現れ、その可撓弾性力に基づく復元力で跳ね上がる。センサーホルダー４が跳ね上がると、容器本体３Ａの前記開口部分が開放される。前記開口部分には、後述する赤外線通信部７１（図７参照）やメイン電源スイッチ等が臨むように配置されている。したがって、センサーホルダー４の跳ね上がりで、赤外線通信部７１（図７参照）の赤外線通信を障害なく行え、またメイン電源スイッチ等の操作を行える。
【００２６】
この跳ね上がった状態で蓋体３Ｂを容器本体３Ａに対して被着すると、蓋体３Ｂの上端３Ｂ１と容器本体３Ａの開口端３Ａ１との間に、センサーホルダー４の基端部４１が挟まる。基端部４１の左右両側にはそれぞれ脚部４２が形成される。蓋体３Ｂの前面には、左右一対の脚部４２の下端が係合する係合突起３Ｂ２が突出形成されている。
【００２７】
センサーホルダー４は、基端部４１を弾性変形させながら一対の脚部４２を一対の係合突起部３Ｂ２に係合させることにより、収納容器３の前面３Ｃに支持され、斜め上方に向かって延びる。収納容器３の前面３Ｃに保持されるセンサーホルダー４は、図４に示すように、上方に向かうに従って収納容器３から離れるように延びている。
【００２８】
センサーホルダー４は、先端側に設けた温度センサー４３と、基端部側に設けた湿度センサー４４を有する。センサーホルダー４が収納容器３に傾斜支持された状態において、少なくとも温度センサー４３は収納容器３の頂端よりも上方に配置される。湿度センサー４４は、不図示のリード線がセンサーホルダー４を通して収納容器３内の回路７に接続される。
【００２９】
センサーホルダー４の温度センサー４３は、センサーホルダー４を構成する可撓弾性を有し、非導電性の薄板材からなり、左右方向に対向配置される左右一対の第１、第２支持片４５、４６と、第１支持片４５と第２支持片４６との間にリード線４７、４８を介して取り付けられるサーミスタ４９を有する。第１支持片４５と第２支持片４６は、基部から上方に二股状に分岐して支出される。各リード線４７、４８はセンサーホルダー４を通して収納容器３内の回路７に接続される。サーミスタ４９は、第１支持片４５と第２支持片４６の先端よりも下方に配置される。
【００３０】
温度センサー４３は、第１支持片４５と第２支持片４６の付け根部分が湾曲した凹面に切り欠かれる切欠部５０を有する。そして、切欠部５０の内周縁から第１支持片４５と第２支持片４６の内端縁がそれぞれ連設される。また、第１支持片４５と第２支持片４６の各内端縁が左右方向の外側にそれぞれ開く傾斜した形状とした先細り形状に形成される（以下、放物線切欠き形状と称す）。したがって、第１支持片４５、第２支持片４６に外力が加わっても、第１支持片４５と第２支持片４６の付け根に応力が集中してクラックが入り、破損することが防止される。また、先細り形状とするが、外端縁は長手方向に沿って真っ直ぐな直線状とすることで、強度の低下を防止する。
【００３１】
第１支持片４５と第２支持片４６の各内端縁を傾斜縁ではなく平行とした切欠き形状とした場合、第１支持片４５と第２支持片４６を左右方向の外側に開くように外力を加えると、第１支持片４５と第２支持片４６の付け根部分に応力が集中し、クラックが生じ易い。この場合、第１支持片４５と第２支持片４６の長さを長くすれば、よりクラックが発生し易い。これに対し、本実施形態の放物線切欠形状では、第１支持片４５と第２支持片４６の付け根部分と切欠部５０との連接位置が明確ではない。このため、本実施形態の放物線切欠形状では上述したようなクラックの発生が少ない。
【００３２】
一方、温度センサー４３のサーミスタ４９に対し、長さ方向（第１支持片４５と第２支持片４６の長さ方向）の上下に物体が存在すると、太陽により暖められた当該物体から生じる輻射熱の影響を受ける。本実施形態では、サーミスタ４９の長さ方向上方には輻射熱を発する物体はないが、下方には第１支持片４５と第２支持片４６の基底部５１が存在する。この基底部５１がサーミスタ４９と遠ければ、言い換えれば前記放物線切欠形状を深くすれば輻射熱の影響を低減することができる。すなわち、本実施形態の温度センサー４３は、輻射熱の影響が低減でき、第１支持片４５と第２支持片４６の付け根部分のクラック発生を低減することができる。
【００３３】
センサーホルダー４を収納容器３の前面３Ｃに取り付けた使用状態において、収納容器３の片勾配に形成された頂面３１の作用を以下に説明する。
【００３４】
図４において、不図示の気球からロープ６を介して吊り下げられたラジオゾンデ１は上昇しながら左右方向に搖動する。
【００３５】
ラジオゾンデ１が右側から左側に搖動すると、頂面３１の上部の気流は、破線Ｆ１で示すように、右から左に向かって流れる。したがって、温度センサー４３には、頂面３１で暖められた空気が流れない。
【００３６】
一方、ラジオゾンデ１が左側から右側に搖動すると、頂面３１の上部の搖動気流は、実線Ｆ２で示すように、左側から右側に向かって流れる。搖動気流Ｆ２は、片勾配の頂面３１の斜面に沿って流れる。頂面３１の片勾配は、収納容器３の後側面３３側を頂点とし、前側面３２側を下端とする。したがって、頂面３１で暖められた搖動気流Ｆ２は、センサーホルダー４の基端部に向けて下方に流れ、温度センサー４３には向かわない。特に、温度センサー４３を頂面３１の頂点よりも上方に配置されている。このため、温度センサー４３が搖動気流Ｆ２の流れに入り込むのが避けられる。
【００３７】
したがって、ラジオゾンデ１が往復搖動を繰り返しながら上昇して温度計測する際、温度センサー４３で計測した温度計測データは、揺動気流Ｆ２による影響がなくなり、温度センサー４３の実測値が明確に出力される。
【００３８】
また、温度センサー４３は、センサーホルダー４の輻射熱の影響を受けないので、高精度の温度測定が可能となる。
【００３９】
次に、収納容器３は、容器本体３Ａ内に、気圧、風向、風速等を測定する各種のセンサー（不図示）を収納する。また、前記各種のセンサーおよび温度センサー４３、湿度センサー４４で測定した測定データの処理を行うデータ処理部（不図示）と、前記データ処理部で処理したデータを送信する通信部（不図示）と、前記データ処理部,前記通信部等を構成する電子部品を実装する回路基板７、各種の電子部品およびセンサーに電力を供給する電源電池である乾電池８、乾電池８の電圧を昇圧するＤＣ−ＤＣコンバータ等で構成される電源部等を有する。前記通信部は、送信周波数を可変とする周波数調整部（不図示）を有する。ラジオゾンデ１を飛揚する際、周囲に飛揚される他のラジオゾンデとの混信をさけるために、送信周波数を変更する。
【００４０】
送信周波数の変更は、図６、図７に示すように、外部の周波数調整等を行う調整装置１００により行われる。調整装置１００は、ラジオゾンデ１の周波数調整部と非接触通信方式で通信を行う。非接触の通信方式として、電磁誘導方式がある。電磁誘導方式では、ラジオゾンデ１に通信用のループアンテナを配置する。ループアンテナは直径が大きいため、収納容器３の大型化を招く。また、ループアンテナはラジオゾンデ１の軽量化を阻害する。通信周波数の変更後、各種センサーの測定データが適正に送信できるかのテスト通信が調整装置１００により行われる。その際、電磁誘導による通信をラジオゾンデ１と調整装置１００との間で行うと、高周波の電磁波が、回路基板７に実装される各種の回路部に対して電波障害を生じさせる。
【００４１】
そこで、本実施形態において、ラジオゾンデ１と調整装置１００との非接触通信方式は、赤外線通信を用いている。赤外線通信においては、ループアンテナ等のアンテナは不要であるため、収納容器の小型軽量化が図れる。
【００４２】
回路基板７は、実装面を容器本体３Ａの開口側に向けて配置される。回路基板７の実装面には、赤外線通信用の赤外線通信部７１が実装される。赤外線通信部７１は、蓋体３Ｂを取り外すと、容器本体３Ａの開口に露出する。赤外線通信部７１は、赤外発光素子と、赤外光受光素子とを有する。
【００４３】
調整装置１００は、筐体１０１内を水平方向の第１仕切り壁１０２により上下に上区画１０１Ａと下区画１０１Ｂを区画し、上区画１０１Ａをさらに垂直方向の第２仕切り壁１０３により前室１０４と、温度調整される後室１０５により仕切っている。
【００４４】
前室１０４の前面には傾斜した前壁部１０６が設けられる。ラジオゾンデ１は、蓋体３Ｂを取り外した状態で、容器本体３Ａの開口側を前壁部１０６に載置する。この載置状態で、前壁部１０６に形成した開口部１０７にラジオゾンデ１の赤外線通信部７１が望む。
【００４５】
前室１０４内には、前壁部１０６の開口部１０７に面して赤外線通信部１０８が配置される。赤外線通信部１０８はラジオゾンデ１の赤外線通信部７１に対向し、赤外線通信部７１との間で通信を行う。
【００４６】
後室１０５内には、容器本体３Ａから延びるセンサーホルダー４が挿入される。後室１０５と、下区室１０１Ｂとの間に、送風機１０９が配置され、下区室１０１Ｂ内の空気を後室１０５内に送風し、後室１０５内の温度を一定にする。
【００４７】
調整装置１００は、例えばパーソナルコンピュータ（不図示）等の調整指示部と接続され、周波数の変更をラジオゾンデ１の周波数調整部に指示する。ラジオゾンデ１は、変更された周波数により、各種センサーで測定したテストデータが通信アンテナ６を介して送信される。温度センサー４３は、後室１０５内の温度を測定する。
【００４８】
なお、前記調整支持部は、調整装置１００の一部として一体に設けても、別体としてもよい。
【符号の説明】
【００４９】
１  ラジオゾンデ
２  ロープ
３  収納容器
３Ａ  容器本体      ３Ａ１  開口端
３Ｂ  蓋体      ３Ｂ１  上端      ３Ｂ２  係合突起
３Ｃ  前面
３１  頂面      ３２  前側面      ３３  後側面
３４  左側面      ３５  右側面      ３６  底面
４  センサーホルダー
４１  基端部      ４２  脚部      ４３  温度センサー
４４  湿度センサー      ４５  第１支持片      ４６  第２支持片
４７、４８  リード線      ４９  サーミスタ
５０  切欠部
６  通信アンテナ
７  回路基板
７１  赤外線通信部
８  乾電池
１００  調整装置
１０１  筐体      １０１Ａ  上区画      １０１Ｂ  下区画
１０２  第１仕切り壁      １０３  第２仕切り壁
１０４  前室      １０５  後室
１０６  前壁部      １０７  開口部
１０８  赤外線通信部      １０９  送風機
【図１】
0006352704.tif 000002
【図２】
0006352704.tif 000003
【図３】
0006352704.tif 000004
【図４】
0006352704.tif 000005
【図５】
0006352704.tif 000006
【図６】
0006352704.tif 000007
【図７】
0006352704.tif 000008
【図８】
0006352704.tif 000009